【手続補正書】
【提出日】平成15年10月8日(2003.10.8)
【手続補正１】
【補正対象書類名】明細書
【補正対象項目名】特許請求の範囲
【補正方法】変更
【補正の内容】
【特許請求の範囲】
【請求項１】
画像が添付された電子メールを保管するサーバと通信する通信手段と、
ユーザの識別情報等を入力するための入力手段と、
前記入力手段によって入力されたユーザの識別情報に基づいて前記サーバから当該ユーザ宛の電子メールに添付された画像を前記通信手段を介して取り込む画像取込手段と、
前記取り込んだ画像をプリントするプリント手段と、
を備えたことを特徴とするプリント端末装置。
【請求項２】
前記画像取込手段が取り込んだ画像の一覧を表示する表示手段を更に備え、前記プリント手段は、前記表示手段に表示された画像の一覧から前記入力手段によってプリントしたい画像の選択指示の入力があると、その選択指示された画像をプリントすることを特徴とする請求項１のプリント端末装置。
【請求項３】
画像が添付された電子メールを保管するサーバと通信する通信手段と、
ユーザの識別情報等を入力するための入力手段と、
前記入力手段によって入力されたユーザの識別情報に基づいて前記サーバから当該ユーザ宛の電子メールに添付された画像のうちの予めプリント要求フラグが設定されている画像を前記通信手段を介して取り込む画像取込手段と、
前記取り込んだ画像をプリントするプリント手段と、
を備えたことを特徴とするプリント端末装置。
【請求項４】
画像が添付された電子メールを保管するサーバと通信する通信手段と、
ユーザの識別情報等を入力するための入力手段と、
前記入力手段によって入力されたユーザの識別情報に基づいて前記ユーザから所定のアドレスに送信された電子メールに添付された画像を前記サーバから前記通信手段を介して取り込む画像取込手段と、
前記取り込んだ画像をプリントするプリント手段と、
を備えたことを特徴とするプリント端末装置。
【請求項５】
前記プリント手段は、画像とともに電子メールの文字をプリントすることを特徴とする請求項１乃至４のいずれかに記載のプリント端末装置。
【請求項６】
前記プリント手段によるプリント出力に対して課金する課金手段を有することを特徴とする請求項１乃至５のいずれかに記載のプリント端末装置。
【手続補正２】
【補正対象書類名】明細書
【補正対象項目名】０００８
【補正方法】変更
【補正の内容】
【０００８】
【課題を解決するための手段】
前記目的を達成するために請求項１に係るプリント端末装置は、画像が添付された電子メールを保管するサーバと通信する通信手段と、ユーザの識別情報等を入力するための入力手段と、前記入力手段によって入力されたユーザの識別情報に基づいて前記サーバから当該ユーザ宛の電子メールに添付された画像を前記通信手段を介して取り込む画像取込手段と、前記取り込んだ画像をプリントするプリント手段と、を備えたことを特徴としている。


【手続補正３】
【補正対象書類名】明細書
【補正対象項目名】００１１
【補正方法】変更
【補正の内容】
【００１１】
このようにして取り込まれた画像は、プリント手段によってプリント出力される。尚、プリント枚数のデフォルトは、１枚であるが、このプリント枚数は、前記入力手段によって任意に設定することができる。


【手続補正４】
【補正対象書類名】明細書
【補正対象項目名】００１２
【補正方法】変更
【補正の内容】
【００１２】
請求項２に示すように前記画像取込手段が取り込んだ画像の一覧を表示する表示手段を更に備え、前記プリント手段は、前記表示手段に表示された画像の一覧から前記入力手段によってプリントしたい画像の選択指示の入力があると、その選択指示された画像をプリントすることを特徴としている。即ち、前記画像取込手段によって取り込まれた画像は、表示手段に一覧表示され、その表示された画像の一覧から前記入力手段によってプリントしたい画像の選択が行われる。そして、プリントしたい画像の選択が行われると、プリント手段によって選択された画像がプリント出力される。
請求項３に係るプリント端末装置は、画像が添付された電子メールを保管するサーバと通信する通信手段と、ユーザの識別情報等を入力するための入力手段と、前記入力手段によって入力されたユーザの識別情報に基づいて前記サーバから当該ユーザ宛の電子メールに添付された画像のうちの予めプリント要求フラグが設定されている画像を前記通信手段を介して取り込む画像取込手段と、前記取り込んだ画像をプリントするプリント手段と、を備えたことを特徴としている。


【手続補正５】
【補正対象書類名】明細書
【補正対象項目名】００１３
【補正方法】変更
【補正の内容】
【００１３】
請求項１に係る発明では、表示手段に表示された画像一覧からプリントしたい画像を選択するようにしたが、請求項３に係る発明では、予め携帯電話等のモニタ画面上でプリントしたい画像を選択し、これをサーバに通知することで、その選択したプリントしたい画像を有する電子メールにプリント要求フラグを設定する。そして、ユーザの識別情報が入力されると、画像取込手段は、サーバからそのユーザ宛のプリント要求フラグが設定された電子メールに添付された画像を通信手段を介して取り込むようにしている。このようにして取り込まれた画像は、プリント手段によってプリント出力される。


【手続補正６】
【補正対象書類名】明細書
【補正対象項目名】００１４
【補正方法】変更
【補正の内容】
【００１４】
請求項４に係るプリント端末装置は、画像が添付された電子メールを保管するサーバと通信する通信手段と、ユーザの識別情報等を入力するための入力手段と、前記入力手段によって入力されたユーザの識別情報に基づいて前記ユーザから所定のアドレスに送信された電子メールに添付された画像を前記サーバから前記通信手段を介して取り込む画像取込手段と、前記取り込んだ画像をプリントするプリント手段と、を備えたことを特徴としている。


【手続補正７】
【補正対象書類名】明細書
【補正対象項目名】００１５
【補正方法】変更
【補正の内容】
【００１５】
即ち、ユーザの携帯電話等でプリントしたい画像を確認し、送信先として所定のアドレス（例えば、プリント端末装置等の指定のアドレス）を付けて画像ファイル付きの電子メールをサーバに届けておく。そして、ユーザの識別情報が入力されると、画像取込手段は、ユーザから所定のアドレスに送信された電子メールに添付された画像をサーバから取り込むようにしている。このようにして取り込まれた画像は、プリント手段によってプリント出力される。尚、請求項３、４に係る発明において、サーバから取り込んだ画像を一旦表示手段に一覧表示し、プリント出力する画像を最終確認する指示入力を受入してからプリント出力するようにしてもよい。


【手続補正８】
【補正対象書類名】明細書
【補正対象項目名】００１６
【補正方法】変更
【補正の内容】
【００１６】
請求項５に示すように前記プリント手段は、画像とともに電子メールの文字をプリントすることを特徴としている。即ち、サーバから画像とともに電子メールの文字情報も取り込んでおき、画像とともに電子メールの文字をプリントすることができる。


【手続補正９】
【補正対象書類名】明細書
【補正対象項目名】００１７
【補正方法】変更
【補正の内容】
【００１７】
請求項６に示すように前記プリント手段によるプリント出力に対して課金する課金手段を有することを特徴としている。課金手段としては、コインマシンによる現金による支払い、携帯電話の電話料金上乗せ、クレジットカードやプリペイドカードによる支払いなどが考えられる。前記プリント手段は、前記課金手段による課金が可能であることを条件に画像をプリントし、プリント出力後に課金する。